(57)【特許請求の範囲】
【請求項１】
冷媒としてＣＯ２を備え二つの個別の加熱作動モードを備えた蒸気圧縮サイクルを提供するシステムにおいて、
圧縮機（１）と、
圧縮機（１）の下流側の第一のガス冷却熱交換器（２ｈ）と、
前記第一の熱交換器（２ｈ）の下流側の第二のガス冷却熱交換器（２ｒ）と、
前記第二の熱交換器（２ｒ）の下流側の第三のガス冷却熱交換器（２ｐ）と、
前記第三の熱交換器（２ｐ）の下流側の第一の減圧装置（５）と、
前記第一の減圧装置（５）の下流側において熱貯め装置（７）を備えた第四の熱交換器（６）と、
前記第四の熱交換器（６）の下流側の第二の減圧装置（３）と、
低い温度と高い温度の間を循環する外部温度に晒され、前記第二の減圧装置（３）の下流側にあり、前記圧縮機（１）に接続された、冷媒を蒸発する第五の熱交換器（４）と、
遮断弁（８）を備え、前記第五の熱交換器（４）を迂回し、第一の端部において前記第四の熱交換器（６）と前記第二の減圧装置（３）の間に接続され、第二の端部において前記第五の熱交換器（４）と前記圧縮機（１）の間に接続されたバイパス配管と、
少なくとも前記遮断弁（８）並びに前記第一の減圧装置（５）および前記第二の減圧装置（３）を制御する少なくとも１個の制御装置（１４）と、を含み、
前記第一の熱交換器（２ｈ）が高温の水タンク（９ｈ）に接続され、
前記第二の熱交換器（２ｒ）が室内暖房システムに接続され、
前記第三の熱交換器（２ｐ）が低温の水タンク（９ｐ）に接続されていることを特徴とする蒸気圧縮サイクルを提供するシステム。
【請求項２】
加熱モードと冷却モードの間で切り換えるために前記圧縮機（１）の入口および出口に亘って四方弁（１２）を更に含むことを特徴とする請求項１に記載のシステム。
【請求項３】
太陽熱源が前記熱貯め装置（７）と高温の水タンク（９ｈ）または低温の水タンク（９ｐ）に接続されていることを特徴とする請求項１または２のいずれかに記載のシステム。
【請求項４】
請求項１に記載のシステムにおいて蒸気圧縮サイクルを制御する方法であって、第一のモードの加熱作動と第二のモードの加熱作動との間の切り替えを可能とする方法において、前記第一のモードの作動では、
第一の熱交換器（２ｈ）と、第二の熱交換器（２ｒ）と第四の熱交換器（６）からの熱を放出することによって、前記第一、第二、および第四の熱交換器がガス冷却器として作動し、前記第四の熱交換器（６）が熱を熱貯め装置（７）に放出する段階と、
第五の熱交換器（４）を蒸発器として作動する段階と、を含むことを特徴とする蒸気圧縮サイクルを制御する方法。
【請求項５】
請求項１に記載のシステムにおいて蒸気圧縮サイクルを制御する方法であって、第一のモードの加熱作動と第二のモードの加熱作動との間の切り替えを可能とする方法において、前記第二の作動モードでは、
第二の熱交換器（２ｒ）および第三の熱交換器（２ｐ）からの熱を放出することによって、前記第二と第三の熱交換器がガス冷却器として作動する段階と、
第四の熱交換器（６）が熱貯め装置（７）から熱を吸収する蒸発器として作動する段階と、を含むことを特徴とする蒸気圧縮サイクルを制御する方法。
【請求項６】
熱源の温度（Ｔ２）およびその日の時間に応じて二つのモードの作動を決定する段階を更に含むことを特徴とする請求項４または５に記載の蒸気圧縮サイクルを制御する方法。
【請求項７】
前記システムが前記圧縮機（１）の入口および出口に亘って四方弁（１２）を含み、前記方法が前記四方弁（１２）を起動させることによって加熱モードと冷却モードの作動の間で切り替える段階を更に含むことを特徴とする請求項４から６までのいずれか１項に記載の方法。
【請求項８】
太陽熱源が前記熱貯め装置（７）と高温の水タンク（９ｈ）及び低温の水タンク（９ｐ）とに接続されていることを特徴とする請求項１または２に記載の方法。
【発明の詳細な説明】
【技術分野】
【０００１】
本発明は、例えば空調ユニットあるいはヒートポンプのような蒸気圧縮サイクルを提供するシステムであって、蒸発器あるいはガス冷却器（凝縮器）のいずれかとして作用する二元機能（ｄｕａｌ  ｆｕｎｃｔｉｏｎ）を有する熱エネルギリザーバすなわち貯め装置（ｓｔｏｒａｇｅ）を備え、運転モードが、熱の発生を最適化し動力消費を最小化するように全て調節される、エネルギ源の循環温度（ｒｅｃｕｒｒｉｎｇ  ｔｅｍｐｅｒａｔｕｒｅ）の温度レベル、エネルギ貯め装置の温度、および熱必要量によって決まるようなシステムに関するものである。
【背景技術】
【０００２】
従来の冷却、空調あるいはヒートポンプ用の蒸気圧縮サイクルのシステムが基本的に図１に示されている。本システムは圧縮機１と、凝縮熱交換器２と、絞り弁、すなわち減圧装置３と、蒸発熱交換器４とから構成されている。これらの構成要素は、その中を冷媒が循環している閉鎖流れ回路１１に接続されている。蒸気圧縮サイクル装置の作動原理は以下の通りである。冷媒の圧力と温度は、それがガス冷却器／凝縮器（ｃｏｏｌｅｒ／ｃｏｎｄｅｎｓｅｒ）２へ入る前に圧縮機１によって高められ、ガス冷却器／凝縮器において冷却および（または）凝縮され熱を放出する。次いで、高圧の液体は減圧装置３によって蒸発器の圧力まで減圧される。蒸発器４において、冷媒は沸騰し、その周辺から熱を吸収する。蒸発器における蒸気は圧縮機１中へ吸引され、サイクルを完了する。
【０００３】
従来の蒸気圧縮サイクルのシステムは、全体的に亜臨界圧力（ｓｕｂ−ｃｒｉｔｉｃａｌ  ｐｒｅｓｓｕｒｅ）で作動する、（例えばＲ１３４Ａのような）冷媒を使用している。冷媒として多数の諸々の物質あるいは物質の混合物を使用しうる。流体の臨界温度は凝縮が発生する上限を設定するので、冷媒の選択は色々な要因の中でも特に凝縮温度によって影響される。妥当な効率を維持するためには、凝縮温度より２０−３０°Ｃ高いところに臨界温度を有する冷媒を使用することが通常望ましい。新規な或るシステムは超臨界温度の近傍で作動するが、従来のシステムの設計や作動では近臨界温度（ｎｅａｒ  ｃｒｉｔｉｃａｌ  ｔｅｍｐｅｒａｔｕｒｅｓ）は避けられている。このことは例えば英国特許出願第２４１４２８９Ａ号公報（ＧＢ  ２４１４２８９  Ａ）および国際特許出願第２００５／１０６３４６Ａ１号公報（ＷＯ２００５／１０６３４６  Ａ１）に記載されているヒートポンプの場合である。これらの特許出願の双方とも冷媒としてＲ４１０Ａの使用を述べている。欧州特許第０４２４４７４Ｂ２号公報（ＥＰ  ０  ４２４  ４７４  Ｂ２）にはＲ７４４（ＣＯ２）を用いた遷移臨界ヒートポンピング（ｔｒａｎｓｃｒｉｔｉｃａｌ  ｈｅａｔ  ｐｕｍｐｉｎｇ）の調節方法が記載されている。
【０００４】
本技術は文献に詳細に扱われており、多くの特許がこの分野の技術を網羅している。今日の冷媒の温室効果ガスの影響は、冷媒は終局的に大気中へ漏出するので、環境に対する脅威を呈している。大気中へ解放された１キログラムのＨＦＣ冷媒Ｒ４１０Ａは地球温暖化への影響において１８３０キログラムのＣＯ２に相当する。Ｒ７４４（ＣＯ２）は１の地球温暖化係数（ｇｌｏｂａｌ  ｗａｒｍｉｎｇ  ｐｏｔｅｎｔｉａｌ）を有しており、一方通常使用されているＨＦＣ冷媒は１７００から５０００キログラム以上までのＣＯ２に相当する。従って、ＣＯＰ（成績係数）が対比しうるＨＦＣ冷媒と同等であると仮定すれば、もしもＲ７４４が使用できるならば環境にとって有利である。エネルギ源からのＣＯ２放出は増えるので、Ｒ７４４を使用することによるより低いＣＯＰが有利性を低減させる。或る国では冷凍過程に使用する現在のＨＦＣｓのような強力な温室効果ガスの使用の将来の禁止を予見した法制化を行なっている。ノルウエーやその他の数カ国においてはＨＦＣの使用に環境税が既に課せられている。
【０００５】
Ｒ７４４（ＣＯ２）を使用するヒートポンプのＣＯＰはその臨界点が３１．２℃と低いので典型的な家庭暖房モードには不向きである。このことは、「空間暖房および熱水加熱の組み合わせのための住宅向きＣＯ２ヒートポンプシステム（Ｒｅｓｉｄｅｎｔｉａｌ  ＣＯ２  ｈｅａｔｐｕｍｐ  ｓｙｔｅｍｓ  ｆｏｒ  ｃｏｍｂｉｎｅｄ  ｓｐａｃｅ  ｈｅａｔｉｎｇ  ａｎｄ  ｈｏｔ  ｗａｔｅｒ  ｈｅａｔｉｎｇ）」（ＩＳＢＮ  ８２−４７１−６３１６−０）という表題のジョーン  スターン（Ｊｏｒｎ  Ｓｔｅｎｅ）の博士論文に詳しく述べられている。Ｒ７４４冷媒のヒートポンプを作動させるエネルギ源からのＣＯ２放出の増加はＨＦＣ冷媒の大気へ潜在的な解放による温室効果ガスの影響を下げることよりも重要であるかもしれない。スターン（Ｓｔｅｎｅ）による博士論文によれば、高圧高温のＲ７４４ガスは、良好なＣＯＰを達成するためにはＣＯ２の臨界温度（３１．２℃）よりかなり下回る利用可能な熱は受け入れられない。このことは、室内の温度が２０℃以上に保たれており、空間を暖房するために使用される媒体（水または空気）が少なくとも３０℃の温度を有する必要のある場合には熱伝達のための合理的な温度差を有することが困難となる。このように、冷媒から熱分配媒体まで熱が流れるためには、冷媒の温度は３０℃以上であるべきである。超臨界状態にある圧縮機の高圧側からの高温のガスをＣＯ２の臨界点より十分低いレベルまで冷却するとヒートポンプの効率を増し、熱が利用可能である場合には特にそうなる。
【０００６】
米国特許第４，０１２，９２０号公報（ＵＳ  ４，０１２，９２０）は、熱が室内空気、外気および熱貯め流体（ｓｔｏｒａｇｅ  ｆｌｕｉｄ）の間のいずれかの組合せにおいて交換されうるように、蒸発器あるいは凝縮器のいずれかとして作動する３個のコイルを有し、それぞれ、凝縮器あるいは蒸発器として作動する残りの２個のコイルのいずれか一方と接続する可逆性のヒートポンプを開示している。しかしながら、３個のコイルの配備は冷却モードあるいは暖房モードにおいて二つずつ一緒に作動できるだけであって、次の局面の作動のために熱貯め装置が準備されたとき、本発明の原理に対して極めて重要である、ガス冷却器／凝縮器として前記コイルの中の２個が同時に機能するように作動することは全くない。
【０００７】
米国特許第３，５２３，５７５号公報（ＵＳ  ３，５２３，５７５）は冷却モードおよび暖房モードにおいて双方に役立つよう作動しうる熱貯め容器を備えた可逆性ヒートポンプを開示している。しかしながら、このヒートポンプは２個のコイルを有するのみであり、貯められたエネルギはヒートポンプのための単独熱源として作用するのではなくて、蒸発／凝縮工程での助勢を単に目的としたものである。
【先行技術文献】
【特許文献】
【０００８】
【特許文献１】英国特許出願第２４１４２８９Ａ号公報
【特許文献２】国際特許出願第２００５／１０６３４６Ａ１号公報
【特許文献３】欧州特許第ＥＰ  ０４２４  ４７４Ｂ２号公報
【特許文献４】米国特許第４，０１２，９２０号公報
【特許文献５】米国特許第３，５２３，５７５号公報
【非特許文献】
【０００９】
【非特許文献１】ＩＳＢＮ  ８２−４７１−６３１６−０
【発明の概要】
【発明が解決しようとする課題】
【００１０】
蒸気圧縮サイクルからの出力を最大化し、蒸気圧縮サイクルに対する一次エネルギ入力を最小化することに向けてたゆまない努力がなされている。当該システムの構成要素を更に改良すること、例えば凝縮および蒸発熱交換器における熱伝達効率の向上、圧縮機の損失の低減、絞り損失（ｔｈｒｏｔｔｌｉｎｇ  ｌｏｓｓｅｓ）の低減は効率の改良がなされる領域である。
【００１１】
本発明の目的は、外部の熱源の温度が低い場合熱貯め装置を熱源として使用し、外部の熱源の温度が高い場合熱貯め装置を加熱（負荷）し、熱貯め装置が熱源として供される場合清浄水を予熱するように配備することによって冷媒のガス冷却／凝縮を増大することにより蒸気雲圧縮サイクル（ｖａｐｏｒ  ｃｌｏｕｄ  ｃｏｍｐｒｅｓｓｉｏｎ  ｃｙｃｌｅ）の全体的な効率を向上させる、新規で簡単かつ効果的な方法を提供することである。
【００１２】
本発明は特に、遷移臨界冷却における作動流体としてＣＯ２（Ｒ７４４）を使用する蒸気圧縮サイクルのために構成されている。
【００１３】
更に別の本発明の目的は、あるときには空気とファンのノイズを除去することによってヒートポンピング作動からのノイズを低減し、エネルギ源として空気を使用する蒸発器の除氷時間を短縮し、より安定した圧縮機の負荷によって圧縮機の寿命を延ばすことである。戸外のヒートポンプ装置のシャーシに置かれることがよくある電気抵抗式ヒータは余り使用されなくなる。何故なら熱貯め装置が蒸発熱を提供する作動モードにおいてそれはオフとされうるからである。更に、太陽の熱エネルギを利用する実行可能性を増すことも目的である。本発明は、太陽熱収集器（ｔｈｅｒｍａｌ  ｓｏｌａｒ  ｃｏｌｌｅｃｔｏｒｓ）の効率を、これらが当該システムに低い水温で利用可能な熱を送ることができるので、これらが熱貯めリザーバすなわち熱貯め装置を加熱しているときに向上させる。更に別の本発明の目的は消費される温水のより大きな部分を加熱することによってヒートポンプの作業を増大させることである。二槽タンク内の温度レベルが相違する二槽タンクシステム（ｔｗｏ  ｔａｎｋ  ｓｙｓｔｅｍ）を本システムに組み込むことが好ましい。尤も、その他のタンク配置を利用することも可能である。二元温度タンクシステム（ｄｕａｌ  ｔｅｍｐｅｒａｔｕｒｅ  ｔａｎｋ  ｓｙｓｔｅｍ）は、全体の圧縮サイクルにとってそれが有利である時には一方のタンクにおいて清浄な熱水（ｓａｎｉｔａｒｙ  ｈｏｔ  ｗａｔｅｒ）の一部を予熱し、そして清浄な温水が消費されるときにこの水を他のタンクからの熱水と混合するという選択を提供する。
【００１４】
本発明は熱貯め装置と冷媒の間のエネルギの流れ、清浄な熱水を加熱する時間、室内暖房を制御すなわち調節すること、およびいつ蒸発熱が環境から取り込まれるかを制御することにも関する。この調節は典型的には弁の位置を操作することによる弁調節、および温水の生成を調節することによって実行される。調節は環境の循環温度のパターン、熱貯め装置のエネルギレベル、および室内暖房および温水の必要性に基づいて行われる。本システムを制御すなわち調節するための制御装置は普通の制御回路およびセンサを含みうる。
【課題を解決するための手段】
【００１５】
従って、本発明は蒸気圧縮サイクルを提供するシステムに関するものである。本システムは、圧縮機、圧縮機の下流側における第一の熱交換器、第一の熱交換器の下流側における第二の熱交換器、第二の熱交換器の下流側における第三の熱交換器、および第三の熱交換機の下流側における第一の減圧装置、第一の減圧装置の下流側において熱貯め装置すなわち熱リザーバを備えた第四の熱交換器、第四の熱交換器の下流側における第二の減圧装置、第二の減圧装置の下流側における第五の熱交換器を備えた流れループ（ｆｌｏｗ  ｌｏｏｐ）すなわち流れ回路を含み、該流れループは次いで圧縮機に接続され、ループを完成する。減圧装置はヒートポンプおよび冷却回路の領域内で屡使用される絞り作業のための通常の装置であり、固定あるいは調整可能である膨張弁を含みうる。膨張弁は、例えばダイアフラム式電磁弁、直立閉止弁（ｓｔｒａｉｇｈｔ  ｃｌｏｓｅ  ｖａｌｖｅ）および直角閉止弁（ｒｉｇｈｔ  ａｎｇｌｅ  ｃｌｏｓｅ  ｖａｌｖｅ）のような熱力学的エネルギ膨張弁を含みうる。
【００１６】
遮断弁を備えたバイパス配管は第五の熱交換器を迂回し、第一の端部において第四の熱交換器と第二の減圧装置との間で、第二の端部において第五の熱交換器と圧縮機との間で接続されている。制御装置は少なくとも遮断弁と減圧装置を制御する。
【００１７】
第一の熱交換器は高温水タンクと熱交換関係にあり、第二の熱交換器は空間（室内）暖房装置と熱交換関係にあり、第三の熱交換器は清浄水を予熱するために水タンクと熱交換関係にすればよい。
【００１８】
加熱モードと冷却モードとを切り換えるために四方弁を圧縮機の入口および出口に亘って位置させることができる。太陽熱パネルを熱貯めタンク並びに、清浄な熱水タンクの一方あるいは双方に接続しうる。
【００１９】
冷媒はＣＯ２としうる。
更に、本発明は、前述したシステムによる蒸気圧縮サイクルを制御する方法であって、第一の減圧装置を開放し、遮断弁を閉鎖し、第二の減圧装置を調節することによって第一の加熱モードを提供し、第二の減圧装置あるいはバイパス弁を閉鎖して第一の減圧装置を調節することによって第二の加熱モードを提供する方法を含む。
【００２０】
本システムが第一と第二の加熱モードの間の切り替えを可能とすることは重要な特徴である。前記二つのモードは一般的に戸外の温度およびその日の時間によって決められる。
【００２１】
熱貯め装置に接続された熱交換器は、第五の熱交換器の周囲温度が低レベルにあるときは蒸発器として作用し、前記周囲温度が高レベルにあるときはガス冷却器として作用しうる。
低温水タンクにおける清浄水の予熱は蒸発器としての熱貯め装置の使用に対応すべきである。
【図面の簡単な説明】
【００２２】
【図１】従来の蒸気圧縮サイクルのための装置を示す。
【図２】本発明のプロセスサイクルを示す。
【図３】オスロの冬期の戸外温度の典型的なデータを示す。
【図４】室内暖房、熱水の加熱、熱水の予熱および清浄な温水の取り出しのための本発明による実施例を示す。
【図４ｂ】室内暖房、熱水の加熱、熱水の予熱および清浄な温水の取り出しのための本発明による実施例を示す。
【図５】プロセスサイクルを例示するためのＣＯ２の対数ｐＨ線図を示す。
【図６】プロセスサイクルを例示するためのＣＯ２の対数ｐＨ線図を示す。
【図７】二槽タンクの二元温度による方法における水の流れを示す。
【発明を実施するための形態】
【００２３】
図２を参照して本発明を以下詳細に説明する。
【００２４】
閉鎖された作動流体回路は５個の熱交換器が直列で接続されている冷媒流れループ１１から構成されている。この５個の熱交換器には２ｈ、２ｒ、２ｐ、４および６の番号が付してある。熱交換器６と４は、前記流れループの諸々の区画における圧力および温度を制御できるようにした、それぞれ５および３の番号を付した減圧装置を上流側に有している。この流れループは更に、遮断弁８を備えたバイパス配管と、圧縮機１を有している。第四の熱交換器６はＴ１の温度であるタンク／閉鎖区画室７にある熱貯め媒体と冷媒が熱交換できるようにする。
【００２５】
調節装置１４は図示した流れループを二つのモードの加熱作業に制御する。減圧装置５，３の調整およびバイパス配管における弁８の位置（閉鎖あるいは開放）によって作動モード１による加熱あるいは作動モード２による加熱を使用すべきかを決める。
【００２６】
作動モード１による加熱。図２参照
本発明による作動モード１での加熱および作動モード２での加熱は当該装置の目的が環境／建物／水などを加熱することである場合に使用される。作動モード１での加熱は第五の熱交換器４の外部環境の温度Ｔ２がそのサイクルにおいて高レベルである場合に使用される。もしも戸外の大気が外部環境（熱源として空気が使用される）とすれば、戸外の空気温度Ｔ２は（常にというわけではないが）傾向的には夜間よりも昼間の方が高いので、日中は作動モード１での加熱が恐らく使用される。（図３はオスロの典型的な冬期の間に毎時測定された温度を示す）。第四の熱交換器の上流側にある減圧装置５は全開に設定することができ、その場合バイパス配管の遮断弁８自体は閉鎖される。第二の減圧装置３は第一の熱交換器２ｈと、第二の熱交換器２ｒ、第三の熱交換器２ｐおよび第四の熱交換器６における圧力レベルを調節する。第五の熱交換器４では冷媒が沸騰する。圧縮機１は冷媒のガスの圧力と温度を増大させる。圧縮機１の下流側において、冷媒は第一の熱交換器２ｈの熱を高温タンクへ、第二の熱交換器２ｒの熱を熱分配媒体に放出する。この媒体は水あるいは空気としうる。次いで、冷媒は全開の第一の減圧装置５を通過し、第四の熱交換器６へ流入し、そこで冷媒の熱は熱貯め装置７における水（あるいは氷）でよい熱貯め媒体へ放出される。次いで、高圧の冷媒は第五の熱交換器４へ流入する前に第二の減圧装置３において絞られ、流れ回路が完了する。
【００２７】
作動モード２での加熱。図４参照
第五の熱交換器４の外部環境の温度Ｔ２がそのサイクルにおいて低い点にあるとき作動モード２が使用される。もしも外気が第五の熱交換器４の熱源として使用されるとすれば、図３に示す夜間時間において作動モード２が多分使用される。第二の減圧装置３はこのとき閉鎖され、バイパス配管の遮断弁８は開放している。（もしも外気温度Ｔ２が蒸発を助長するに十分高いとすれば、前記遮断弁８は閉鎖され、第二の減圧装置３は全開としうる。）第一の減圧装置５はそれの上流側にある熱交換器の圧力レベルを調節している。これらの弁の位置によって冷媒を蒸発させるために熱貯め装置７にある媒体を熱源とする。第四の熱交換器６は熱貯め媒体が冷媒を沸騰させる熱源となるようにすることができる。圧縮機１はバイパス配管を介して第四の熱交換器６からの蒸気を吸引し、冷却サイクルにおいて冷媒をくみ出すにつれて冷媒ガスの圧力と温度を上昇させる。圧縮機１の下流側において、冷媒は第二の熱交換器２ｒおよび２ｐにおいて熱を放出する。冷媒の圧力および温度は、蒸発が行われる第四の熱交換器で凝縮するように第一の減圧装置５において絞られ、サイクルが完了する。
【００２８】
二つのモードを使用することにおける利得
一昼夜を通しての２４時間における前述の装置による利得は夜間の蒸発温度がＴ１からＴ２を引いた分増加していることである。もしも熱貯め装置における媒体が水であるとすれば、下限温度は約ゼロ℃となるように設計することができる。このことは熱貯め装置における水は、全ての水が凍って氷になるまではゼロ℃の温度であるからである。冬期における北半球では極めて通常でありうる５℃の温度差では、１２．５パーセントのプロセスサイクルに対するＣＯＰの改善が期待できる。（スターン（Ｓｔｅｎｅ）によれば、１℃の蒸発温度の上昇はＣＯＰを２．５パーセント増大させる。）
【００２９】
夜間に使用される第四の熱交換器６は、熱源として強制空気の流れを使用する第五の熱交換器４と比較して事実上無騒音である。人口密度の高い地域においては何れの装置を使用するにも夜を徹して静かであることが重要である。
【００３０】
熱交換器のフィンが氷結することは、それが伝熱効率を下げ、かつ氷結が激しくなった場合に除氷が必要とされるため問題である。除氷はエネルギを消費し、水を生成し、配管における温度変化や弁の切り替え頻度の増加を意味するので当該設備の寿命にも影響を与えうる。本発明は、昼間までの除氷に関連する問題を低減する。
【００３１】
好適実施例。図４
本発明の好適実施例が図４に示されている。本実施例は室内暖房装置（Ｒｈd）に加えて２個の熱水タンク９ｈ（２７−６５℃の熱水用）と９ｐ（７−２７℃の予熱用）と、三個の流量調節可能な循環ポンプＰｈ（熱水用）、Ｐｒ（室内暖房用）、Ｐｐ（予熱用）を含む。２個の熱水タンクを使用する目的は、各作動モードに対して一つの温度レベルである二種類の温度レベルの熱水を個別に生成できるようにすることである。そうすれば、熱水の加熱は冷媒の流れ回路におけるその他の構成要素の物理的状態がこの目的に対して良好であるときに行うことができる。２個のタンクを使用することの別の利点は従来のタンクによる方法と比較してヒートポンプによってより多くの水が加熱されることである。図７は、暖められた清浄な水道水が低温の水タンクからの予熱した水によって調整した熱水タンクからの熱水から構成される、二元温度の２個のタンクによる方法と比較した従来のタンクによる方法によって加熱された水の量を示している。
【００３２】
作動モード１による加熱。図４参照
作動モード１による加熱において、圧縮機１からの高温の冷媒ガスは第一の熱交換器２ｈを介して水タンク９ｈの底部から水タンク９ｈの頂部まで循環する水と熱交換関係にある。水は、冷媒の圧力および熱水の温度並びに循環速度に応じて約２７℃から６５℃−９０℃まで加熱される。加熱容量は熱水の循環流量、圧縮機１の排出圧力および流量によって調節される。
【００３３】
第一の熱交換機２ｈの下流側において、高温の冷媒ガスは第二の熱交換機２ｒにおける室内暖房用の調整流体（ｃｏｎｄｉｔｉｏｎｉｎｇ  ｆｌｕｉｄ）と熱交換関係にある。該調整流体の温度レベルは殆んどの場合、局部的な室内暖房系統に応じて２７℃から４５℃の間で変動する。加熱容量は調整流体の流量および冷媒の高温ガスの温度および流量によって調節される。
【００３４】
高圧の冷媒ガスは次いで第三の熱交換器２ｐを貫流する。（このモードにおいては熱交換器２ｐには水の循環がないので）そこでは熱が放出されることはない。次いで、冷媒ガスは、第四の熱交換器６により熱貯め装置７にある媒体に高温の冷媒ガスが熱を放出する前に全開の減圧装置５を更に貫流する。バイパス配管の遮断弁８は閉鎖されたままである。第四の熱交換器６の下流側において、冷媒ガスは第二の減圧装置３を貫流し、そこで圧力が絞られ、その後液状の冷媒は第五の熱交換器４まで流れ、そこで冷媒ガスが圧縮機1中へ吸引される前に蒸発が行われて、サイクルを完了する。熱水および室内暖房の加熱用のエネルギは圧縮機の能力と適合するように調整される必要がある。一般的に、熱水タンク９ｈ内の水の温度は作動モード１での加熱時間の間は設定点に保持すべきである。この作動モード１での加熱において、熱水が消費されるといつでもタンク９ｐからの予熱された水がタンク９ｈへ入る。熱水タンクが再度設定温度になるまで前記の予熱された水を加熱するために循環ポンプＰｈは熱交換器２ｈを通して循環を開始する。熱交換器２ｈからの冷媒の出口温度は第二の熱交換器２ｒの水／空気の入口温度より高くなるように循環流量が調節される必要がある。作動モード１での加熱の終了時点ではタンク９ｐ内の水は可能な限り水道水の温度に近い温度になるように、すなわち全ての予熱された水は好ましくは消費済みであるように本システムは設計されるべきである。
【００３５】
作動モード２での加熱。図４参照
作動モード２での加熱においては、遮断弁８は開放し、第二の減圧装置５は閉鎖し、減圧装置３が作動する。このモードの作動においては、タンク７における熱貯め流体が熱源として供され冷媒を蒸発する。熱貯め流体の潜熱は第四の熱交換器６によって冷媒に移され、そこで液状の冷媒は沸騰して蒸気を形成する。その蒸気は圧縮機１中へ吸引される。圧縮機１は循環している冷媒ガスの圧力および温度を上げる。このモードの作動では循環ポンプＰｈはオフであるので、冷媒は熱を放出することなく第一の熱交換器２ｈを通過する。第一の熱交換器２ｈの下流側において、高温の冷媒ガスは第二の熱交換器２ｒにおける室内暖房用の調整流体と熱交換関係にある。前記調整用流体の温度レベルは殆んどの場合、局部的な室内暖房システムによって２５℃から４５℃の間で変動する。加熱容量は調整用流体の流量（ポンプＰｒの作動速度）と、冷媒の高温ガスの流量および温度によって調節される。次いで、冷媒ガスは第三の熱交換器２ｐを通過し、そこではタンク９ｐへの水がポンプＰｐによって循環されている。その水は熱交換器２ｐを経由してタンクの底部から循環し、そこで水が冷媒ガスと熱交換関係になりタンク９ｐの頂部へ戻る。このようにして水は約７℃の水道水の温度から約２７℃まで予熱される。予熱速度はポンプＰｐの水流量によって調節される。タンク９ｐからの冷水の流れは冷媒の最大のガス冷却を達成するように調節される。そのことは清浄水を予熱するために作動モード２での加熱の全体作動時間を利用するように流量は調整されるべきであることを意味する。高圧の冷媒ガスは熱交換器２ｐを出た後、第一の減圧装置５において絞られ、その後液状の冷媒は第四の熱交換器６まで流れて、サイクルを完了する。
【００３６】
夜間の終わりには、熱貯め媒体が水であったとすれば、熱貯め装置７における熱貯め媒体の温度は氷が形成されている可能性のあるレベルまで降下する。第四の熱交換器６において良好な熱伝達メカニズムがあれば、タンク全体が凍結しうる。
【００３７】
本発明のこの実施例は、種々の作動モードにおいて循環装置Ｐｈ，ＰｒおよびＰｐからの流れを制御することによって作動モード２での加熱時にガス冷却を提供しうることを示している。熱水タンク９ｈおよび９ｐを適当な寸法にすることによって通常の家族での住居に対して十分な日常の熱水を保証する。
【００３８】
作動モード２での加熱において冷媒を沸騰させるために使用される媒体は水あるいはその他の相変化材料としうる。限定された容積に貯めうるエネルギの量を増大しまた安定した蒸発温度を得るために、エネルギ貯め装置７において液体から固体への相変化が促進されるべきである。水の融点は０℃であり、氷結エネルギは３３４ｋＪ／ｋｇである。３００リットルのタンクは蒸発のために約２８ｋＷｈのエネルギを含むが、それは通常のアパートには十分なはずである。しかしながら、その他のタンクを使用することも可能であり、その場合相変化は不要かもしれない。（室内／戸外の石油貯蔵タンクの通常のサイズ）である３０００リットルのタンクは水が１５℃からゼロ℃まで冷却される場合５２．５ｋＷｈのエネルギを含む。
【００３９】
熱貯め装置７における熱貯め媒体は作動モード１での加熱においてガス冷却を提供する。これは作動モード２においてＴ１＞Ｔ２である限り利用可能な熱である。
【００４０】
物理特性
図５は遷移臨界蒸気圧縮サイクルの圧力とエンタルピーの線図を示す。遷移臨界蒸気サイクルにおいて、圧縮機１（図１）から排出された高温ガスの圧力とエンタルピーは（図５の）ａの状態にある。一定の圧力で、冷却剤、例えば熱交換器２における熱水に熱を放出した後、冷媒はｂの状態まで冷却される。絞り弁３（図１）が、冷媒をｃの状態（図５）として示されるように二相のガス／液体混合物までもってくる。絞り作業は一定のエンタルピーのプロセスである。冷媒は、第二の熱交換器４（図１）の出口において液相をｄの状態（図５）まで蒸発させることにより、第二の熱交換器４（図１）において熱を吸収し、冷媒は圧縮機１（図１）に入って、サイクルを完了する。
【００４１】
作動モード１での加熱。図５参照
作動モード１での加熱において、圧縮機１（図２）の出口における冷媒の状態はａのところにある。冷媒は第一の熱交換器２ｈの熱水に対して、および第二の熱交換機２ｒ（図２）の室内暖房媒体に対して熱を放出し、第四の熱交換器６（図２）の入口において冷媒をｂの状態にもってくる。冷媒は更に冷却され、熱貯め装置７（図２）における適当な媒体に熱を放出し、第四の熱交換器６（図２）の出口において冷媒をｂ′の状態にもってくる。絞り作業前の熱放出相（ｈｅａｔ  ｒｅｊｅｃｔｉｏｎ  ｐｈａｓｅ）における冷媒の状態は次いでｂからｂ′の状態まで移動する。エンタルピー差ｂ−ｂ′は熱貯め装置７（図２）に貯めうる冷媒の単位流量当たりのエネルギを表している。ｂ′の状態から、冷媒はｃ′の点まで絞られる。ｃ′の点は実際の温度（Ｔ２）における蒸発圧力および温度を表している。エンタルピーｃ′−ｃはｂ−ｂ′と同等であり、貯められたエネルギが如何に環境から収穫されたかを示している。冷媒は第五の熱交換器４（図２）において熱を吸収し、圧縮機１へ入る前にｃ′の状態からｄの状態まで移動し、サイクルが完了する。
【００４２】
作動モード２での加熱。図６参照
図６は遷移臨界蒸気圧縮サイクルの対数の圧力エンタルピー線図を示す。作動モード２での加熱は点ａ、ｂ″、ｃ″、ｄで表示されている。温度Ｔ２（図２）が低点にあり、熱貯め媒体の温度Ｔ１が（熱貯め装置７における媒体がガスを冷却するために使用された後で）高い場合に、作動モード２での加熱が作動する。熱貯め媒体が水であり、温度Ｔ１が温度Ｔ２よりも高いはずであるとすれば温度Ｔ１は０°から２０℃の間でありうる。圧縮機１（図２）の出口における冷媒の状態はａの状態である。第二の熱交換器２ｒにおいて熱を放出した後、冷媒の状態はｂの点にあり、熱交換器２ｐ（図２）を出ていく冷媒の状態はｂ″である。熱水を予熱することによって冷媒をｂの状態からｂ″の状態までもってくる。第一の減圧装置５（図２）が一定のエンタルピーで冷媒の圧力をｃ″の点まで下げる。熱貯め装置７（図２）における媒体からの熱は第四の熱交換器６（図２）において冷媒を沸騰させるために使用され、冷媒をｄの状態にもってくる。第五の熱交換器４（図２）は迂回されて、冷媒の状態はそれが圧縮機１（図２）に吸引される際はｄの状態にあって、サイクルを完了する。次いで、熱交換器２ｐにおける熱水を予熱するためのエネルギはエンタルピーの差ｃ−ｃ″によって表される。
【００４３】
ｃ′の点は、Ｔ１＞Ｔ２で熱交換器２ｐにおいて熱水の予熱が行われなかったとの想定で熱源がＴ２（図２）の温度にあるとした場合の蒸発圧力を示す。ｄ′の点は圧縮機の入口における冷媒ガスの対応する状態である。
【００４４】
この作動モードの利得は、蒸発温度がｃ′からｃまで上げられ、従って（ａ−ｄ′）−（ａ−ｄ）により圧縮機の作業を低減しており、熱貯め装置から取り出されたエネルギはエンタルピー（ｄ−ｃ″）−（ｄ−ｃ′）だけ増大している。
【００４５】
二槽タンクによる二元温度の熱水システムの利用。図４および図７参照
図７は、従来のタンク１個のシステムと比較して清浄な温水を供給するために二つの温度の２個のタンクを使用した時、４０℃で使用するために１００リットルの水を加熱する場合にヒートポンプによって加熱される水の量の差を示す。
【００４６】
作動モード１での加熱において、第一の熱交換器２ｈにおける高温の冷媒ガスは９０℃までの温度で熱を個別の熱水タンク９ｈへ放出する。循環ポンプＰｈの汲み上げ速度がエネルギの移転と第一の熱交換器２ｈにおける熱水の温度到達を決定する。作動モード１において、循環ポンプＰｐはオフとされ、熱交換器２ｐでは熱水の予熱は何ら行われない。第二の熱交換器２ｒにおける室内暖房媒体に熱を放出した後、高温の冷媒ガスは第四の熱交換器６まで行く前に熱交換器２ｐを素通りで貫流し、第四の熱交換器において残った熱は熱貯め装置７内の媒体を解氷／加熱するために放出される。
【００４７】
作動モード２での加熱において、熱水循環ポンプＰｈはオフとされ、高温の冷媒ガスは、第二の熱交換器２ｒへ入って室内暖房媒体に熱を放出する前に、何ら熱を放出することなく第一の熱交換器２ｈを素通りで貫流する。室内暖房媒体に熱を放出した後、高温の冷媒ガスは熱交換器２ｐまで流れ、そこでタンク９ｐから循環している水に熱が放出される。エネルギの取り出しは循環ポンプＰｐによって調節されている。
【００４８】
タンク９ｐからの調整された水は使用前にタンク９ｈからの熱水と混合するために使用されるべきである。そうすれば、従来のシステムの場合そうであった以上により低い温度でより多くの清浄な水をヒートポンプによって加熱することができる。このことは図７に示されている。
【００４９】
太陽熱による加熱
太陽熱収集器からの流れループを熱貯めタンク７に接続することができる。そうすれば、熱貯め装置７の媒体と熱交換関係にある太陽熱収集器からの流体が熱貯め媒体の解氷あるいは加熱を促進する。従来の太陽熱システムでは環境温度と熱伝達流体との間の温度差が冬期では比較的高い。典型的な５０℃−６０℃の温度差が普通である。高い温度差は放射損失とか吸収器の対流損失のため熱吸収器の効率を下げる。解氷のためや、熱貯め装置においてゼロ℃以上に温度を上げるために必要な温度要件が低いことのために、太陽熱収集器の冬期の効率は従来のシステムと比較して５０パーセントまで増大する。
【００５０】
夏季での作動においては、太陽熱収集器は衛生的な使用のための熱水を直接水タンクに生成することができる。
【００５１】
冷却。図４ｂ参照
冷却モードでの作動のために、圧縮機１の下流側に四方弁１２が導入される。冷媒の流れを別ルートにすることにより、大気温度および熱貯めタンク７における熱貯め媒体の実際の温度に応じて、第五の熱交換器４または第四の熱交換器６に冷媒の熱を投入しうる。
【００５２】
遮断弁８が閉鎖されると、熱は先ず熱交換器４を介して大気に投入される。室内冷房の必要性およびタンク７における熱貯め媒体の温度に応じて、第二の減圧装置３あるいは第一の減圧装置５を使用して第二の熱交換器２ｒへの媒体を凝縮するように圧力を下げることができ、第二の熱交換器において室内冷房用媒体は冷媒と熱交換関係となる。この作動モードにおいては循環ポンプＰｂおよびＰｈは通常停止している。
【図１】
0005860700.tif 000002
【図２】
0005860700.tif 000003
【図３】
0005860700.tif 000004
【図４】
0005860700.tif 000005
【図４ｂ】
0005860700.tif 000006
【図５】
0005860700.tif 000007
【図６】
0005860700.tif 000008
【図７】
0005860700.tif 000009